(57)【要約】【課題】従来の画像読取装置では画像読取りを行った際に発生する原稿の裏写りの除去を確実に行えないことがあった。【解決手段】開閉可能な原稿カバーにおいて、その開放角度が予め定められた角度よりも該角度が小さくなる方向に閉じられた第１の状態にあるか、前記予め定められた角度よりも前記角度が大きくなる方向に開かれた第２の状態にあるかを判定する。そして、第１の状態と第２の状態のそれぞれでの、照射手段から照射された光の反射光を受光手段で受光したときの受光手段の出力差に基づいて作用する裏写りの抑制する。【選択図】  図５
2018042037.tif 000002
【特許請求の範囲】
【請求項１】
原稿が載置される原稿台に対して開閉可能に設けられた原稿カバーと、
前記原稿台の原稿を載置する位置に向けて光を照射する照射手段と、
前記照射手段から照射された光の反射光を受光する受光手段と、
予め定められた角度よりも該角度が小さくなる方向に閉じられた前記原稿カバーの第１の状態と、前記予め定められた角度よりも前記角度が大きくなる方向に開かれた前記原稿カバーの第２の状態との判定が可能な判定手段と、
前記判定手段によって判定される前記原稿カバーの前記第１の状態と前記第２の状態での前記受光手段の出力の差に基づいて作用する裏写りの抑制手段とを有することを特徴とする画像読取装置。
【請求項２】
前記照射手段と前記受光手段とを含み、前記原稿台に載置される原稿画像を光学的に読取り可能な読取り手段をさらに備え、
前記裏写りの抑制手段は、前記判定手段によって判定される前記原稿カバーの前記第１の状態での前記読取手段の出力のうち最も高い第１の出力の値と、前記判定手段によって判定される前記原稿カバーの前記第２の状態での前記読取手段の出力のうち最も高い第２の出力の値との差に基づいて作用することを特徴とする請求項１に記載の画像読取装置。
【請求項３】
前記第１の出力の値と前記第２の出力の値との差に基づいて、前記原稿の厚さを判定する厚さ判定手段をさらに有することを特徴とする請求項２に記載の画像読取装置。
【請求項４】
前記裏写りの抑制手段は、前記厚さ判定手段により判定された前記原稿の厚さに基づいて、前記裏写りを抑制するために、前記読取手段の光源から照射される光量を調整する調整手段を含むことを特徴とする請求項３に記載の画像読取装置。
【請求項５】
前記裏写りの抑制手段は、前記判定手段により判定された前記原稿の厚さに基づいて、前記裏写りを抑制するために、前記読取手段により前記原稿の画像を読取って得られた画像データを補正する補正手段を含むことを特徴とする請求項３に記載の画像読取装置。
【請求項６】
前記補正手段は、
前記画像データの輝度値を変換するために用いる輝度変換テーブルを補正することを特徴とする請求項５に記載の画像読取装置。
【請求項７】
前記裏写りの抑制手段は、前記判定手段により判定された前記原稿の厚さに基づいて、前記原稿の端部と前記原稿カバーに設けられた白色圧板との間に生じる影を抑制することを特徴とする請求項３に記載の画像読取装置。
【請求項８】
前記裏写りの抑制手段は、前記影を除去するために、前記読取手段により前記原稿の画像を読取って得られた画像データのうち、前記原稿の端部から予め定められた範囲内に相当する部分の画像データの輝度値を大きくするよう画像補正することを特徴とする請求項７に記載の画像読取装置。
【請求項９】
前記読取手段を予め定められた方向に移動させる移動手段をさらに有し、
前記読取手段は前記予め定められた方向とは交差する方向に配列された複数の光電変換素子を備え、
前記複数の光電変換素子により１ライン分の画像を読取って得られた画像データの輝度値のうち、最も高い輝度値を下地濃度とし、
前記裏写りの抑制手段は、前記原稿カバーが前記第１の状態であるときと前記第２の状態であるときのそれぞれの下地濃度の差に基づいて、前記原稿の裏写り画像を除去することを特徴とする請求項１乃至８のいずれか１項に記載の画像読取装置。
【請求項１０】
原稿台の原稿を載置する位置に向けて光を照射する照射手段と前記照射手段から照射された光の反射光を受光する受光手段とを備えた画像読取装置における原稿の読取方法であって、
予め定められた角度よりも該角度が小さくなる方向に閉じられた前記原稿台に対して開閉可能に設けられた原稿カバーの第１の状態と、前記予め定められた角度よりも前記角度が大きくなる方向に開かれた前記原稿カバーの第２の状態との判定が可能な判定手段によって判定される前記原稿カバーの前記第１の状態と前記第２の状態での前記受光手段の出力の差に基づいて作用する裏写りを抑制することを特徴とする原稿の読取方法。
【発明の詳細な説明】
【技術分野】
【０００１】
本発明は画像読取装置、及び原稿の読取方法に関し、特に、例えば、原稿に記録された画像を光学的に読取る画像読取装置、及び原稿の読取方法に関する。
【背景技術】
【０００２】
従来から、原稿を読み取る画像読取装置において、原稿の表裏に画像が形成されている場合、表面の画像を読取る際に原稿の裏面の画像が透過して読取られてしまう、所謂裏写りが発生することが知られている。
【０００３】
この裏写りを除去するために、画像の濃度補正の度合いを切り替える技術が提案されている。（特許文献１）。この文献では、裏写り除去のためモードを指定した場合、原稿の裏面が透過して読み取られない濃度に濃度補正を行っている。
【先行技術文献】
【特許文献】
【０００４】
【特許文献１】特開平６−１４１８５号公報
【発明の概要】
【発明が解決しようとする課題】
【０００５】
しかしながら上記従来技術の特許文献１では、裏写りとばしを、モードの指定や、表面から読み取った画像のヒストグラムでの判断により行うため、原稿による裏写り量を判定することができない。このため、裏写り画像の除去を確実に行えない可能性や誤って表面画像をとばしてしまう可能性があった。
【０００６】
本発明は上記従来例に鑑みてなされたもので、原稿の裏写りを効果的に抑制することが可能な画像読取装置、及び原稿の読取方法を提供することを目的としている。
【課題を解決するための手段】
【０００７】
上記目的を達成するために本発明の画像読取装置は次のような構成からなる。
【０００８】
即ち、原稿が載置される原稿台に対して開閉可能に設けられた原稿カバーと、前記原稿台の原稿を載置する位置に向けて光を照射する照射手段と、前記照射手段から照射された光の反射光を受光する受光手段と、予め定められた角度よりも該角度が小さくなる方向に閉じられた前記原稿カバーの第１の状態と、前記予め定められた角度よりも前記角度が大きくなる方向に開かれた前記原稿カバーの第２の状態との判定が可能な判定手段と、前記判定手段によって判定される前記原稿カバーの前記第１の状態と前記第２の状態での前記受光手段の出力の差に基づいて作用する裏写りの抑制手段とを有することを特徴とする。
【発明の効果】
【０００９】
従って本発明によれば、原稿の裏写りを効果的に抑制することができるという効果がある。
【図面の簡単な説明】
【００１０】
【図１】本発明の代表的な実施例である光学的に原稿の画像を読取る画像読取装置の構成概要を示す概観斜視図である。
【図２】図１に示す本発明の画像読取装置の構成を示す側断面図である。
【図３】図１に示す本発明の画像読取装置の原稿カバーの開閉状態を検知するセンサの構成を示す側断面図である。
【図４】図１に示す画像読取装置の制御構成を示すブロック図である。
【図５】裏写り除去処理を説明するフローチャートである。
【図６】下地濃度検知を説明するフローチャートである。
【図７】濃度差と原稿の厚さの関係と輝度変換テーブルを示す図である。
【図８】影除去処理を説明するフローチャートである。
【発明を実施するための形態】
【００１１】
以下添付図面を参照して本発明の好適な実施例について、さらに具体的かつ詳細に説明する。
【００１２】
なお、この明細書において、「シート（又は、記録媒体）」とは、一般的な画像読取装置で用いられる画像の原稿用紙や印画紙のみならず、広く、布、プラスチック・フィルム（ＯＨＰ）、金属板、木材、皮革等、画像の記録が可能な媒体を含むものである。
【００１３】
・画像読取装置の概要（図１〜図３）
図１は本発明の代表的な実施例である光学的にカット紙などのシート状の原稿の画像を読取る画像読取装置の構成概要を示す概観斜視図である。
【００１４】
図１に示すように、画像読取装置１は、原稿を読取る画像読取部２と画像読取部２に原稿を搬送可能な原稿給送部（ＡＤＦ）３とからなる。ＡＤＦ３は、画像読取装置１の手前側から画像読取部２を開放可能となるように、奥側に配設された２つのヒンジ１７により画像読取部２に対して回転し開閉可能に支持されている。ＡＤＦ３の開閉状態は１つのヒンジ１７の片側に設けられた開閉センサ１８により検知される。ＡＤＦ３の裏側には原稿を圧接するための白色圧板５０が備えられている。このため、ＡＤＦ３は原稿カバーの役割も果たす。
【００１５】
また、画像読取部２の上面には原稿台ガラス６が設けられ、さらに、ＡＤＦ３からの原稿の自動給送により原稿を流し読みするための読取ガラス５が設けられている。読取ガラス５と原稿台ガラス６の裏側には画像を読取るためのイメージセンサユニット（以下、ＣＩＳユニット）４が備えられる。また、原稿台ガラス６の長辺側と短辺側にはそれぞれ、原稿を突き当てるための突き当て部材８、９が設けられる。
【００１６】
図２は図１に示す画像読取装置１の概略構成を示す側断面図である。
【００１７】
画像読取装置１はＣＩＳユニット４を使用して光を原稿に照射し、原稿による反射光を受光し、これを光電変換して電気信号を生成することにより、原稿の画像を読取り画像データを生成する。
【００１８】
図２に示すように、ＣＩＳユニット４は図に矢印で示された方向（副走査方向）に移動可能であり、原稿の載置側とは反対側に読取ガラス５と原稿台ガラス６に密着するように配置される。ＣＩＳユニット４はＬＥＤ等を光源として含み、その光源から読取ガラス５と原稿台ガラス６を通して原稿を照明する。また、ＣＩＳユニット４にはセルフォック（登録商標）レンズ等の光学レンズを含み、光源から照射され原稿面にて反射された光を、所定の結像位置へと導き、原稿からの反射光を等倍で読み取る。さらに、ＣＩＳユニット４はその移動方向とは交差する方向（主走査方向）に配列された複数の光電変換素子を含むライン型読取センサであり、光学レンズにより所定の結像位置へと導かれた光を撮像する。
【００１９】
ＡＤＦ３でトレイ１０に積載され、１枚ずつ自動給送されてくる原稿Ｄの画像を読取る場合、ＣＩＳユニット４は読取ガラス５に原稿読取位置１１に移動し、その位置に固定されて画像を読取る。一方、ＡＤＦ３を用いず原稿台ガラス６に直接、載置された原稿を読取る場合、原稿を突き当て部材８、９に突き当てて、ＣＩＳユニット４は矢印方向に移動しながら画像を読取る。
【００２０】
ＡＤＦ３は、図１を参照して説明したように原稿台ガラス６を開閉可能にヒンジ１７に支持されており、閉動作により原稿台ガラス６上に載置された原稿Ｄが移動しないように原稿Ｄを白色圧板５０により押圧可能に形成されている。また、画像読取部２には、画像読取部２に対するＡＤＦ３の開放角度を検知可能なように開閉センサ１８が取り付けられている。
【００２１】
さて、ＡＤＦ３によって読取ガラス５上へ搬送される原稿をＣＩＳユニット４を読取ガラス５の直下に固定して読取る方式を「流し読み」方式という。
【００２２】
「流し読み」方式を用いてシート原稿の画像を読取る場合、ユーザによってトレイ１０に載置される原稿Ｄを給送ローラ２２で引き込み、分離ローラ対２１、１５とからなる分離部に給送する。給送ローラ２２の近傍には給送センサ１４が設けられ、原稿Ｄの引き込みを検知する。ここで、分離ローラ対２１、１５は、給送ローラ２２により複数枚の原稿Ｄが給送された場合、分離ローラ２１に対し、分離ローラ１５が負荷となることで原稿Ｄを１枚に分離しながら搬送する。
【００２３】
次に、レジセンサ１６で原稿Ｄの先端を検出すると、レジストローラ２３の回転を停止させて、分離ローラ対２１、１５によって搬送される原稿Ｄの先端を受け止めて原稿Ｄの斜行を矯正する。レジセンサ１６は、原稿Ｄの斜行矯正のタイミングを計る他に、原稿Ｄの後端検出に応じて給送ローラ２２による給送タイミングを計ったり、原稿Ｄの先端及び後端の検出タイミングに応じて原稿Ｄのサイズ判定等を行うことができる。
【００２４】
レジストローラ２３により斜行が矯正された原稿Ｄは、搬送路を通って読取ガラス５上へと搬送される。そして、読取タイミングに合わせて、読取ガラス５の読取位置の下方で停止しているＣＩＳユニット４が画像を読取る。このとき、原稿Ｄは、所定の回転数で回転するプラテンローラ４０によって読取ガラス５の上面から浮き上がり量を規制された状態で搬送されながらＣＩＳユニット４によって原稿の画像が読取られる。
【００２５】
また、画像が読取られた原稿Ｄは、排出ローラ２４へと搬送され、排出口９を経て排出トレイ２０へ排出される。
【００２６】
なお、給送ローラ２２、分離ローラ２１、レジストローラ２３、排出ローラ２４などはモータ３２からの駆動力が直接的に、又は、駆動ギア２５、２６などを介して間接的に伝えられ回転する。さらに、ＣＩＳユニット４にもモータ３２からの駆動力が伝えられ、矢印方向に移動する。
【００２７】
図３は開閉センサ１８の構成を示す側断面図である。
【００２８】
図３に示すように、開閉センサ１８は２つの角度検知センサ１８ｂ、１８ｃと１つのフラグ部材１８ａにより構成され、ＡＤＦ３の４パターンの開放角度（０〜５度、５〜１５度、１５〜２５度、２５度以上）が検知可能となっている。
【００２９】
例えば、角度検知センサ１８ｂがオフで角度検知センサ１８ｃがオンになると開放角度が０〜５度であることを検知し、角度検知センサ１８ｂがオンで角度検知センサ１８ｃがオンになると、開放角度が５〜１５度であることを検知する。また、角度検知センサ１８ｂがオンで角度検知センサ１８ｃがオフになると、開放角度が１５〜２５度であることを検知し、角度検知センサ１８ｂがオフで角度検知センサ１８ｃがオフになると、開放角度が２５以上であることを検知する。
【００３０】
図４は、画像読取装置１の制御構成を示すブロック図である。
【００３１】
画像読取装置１の制御部は画像読取装置１の内部に備えられる。図４に示すように、マザーボード上に構成されるバス３１０には、ＣＰＵ３０１、ＲＡＭ３０２、ＲＯＭ３０３が接続されている。さらに、バス３１０には、モータ３２、ＨＰセンサ３０５、通信Ｉ／Ｆ３０６、角度検知センサ１８ｂ、１８ｃ、ＣＩＳユニット４、画像処理部３１２が接続されている。これらの構成要素は、バス３１０を介して相互に通信可能である。
【００３２】
ＣＰＵ３０１はＲＯＭ３０３に格納された制御プログラムをＲＡＭ３０２の作業領域に読出して実行し、画像読取装置１の動作を統括的に制御する。ＲＡＭ３０２は、ＣＰＵ３０１の作業領域及びデータの一時記憶領域として用いられる。ＲＯＭ３０３は、画像読取装置１を制御するためのファームウェアプログラムやファームウェアプログラムを制御するためのブートプログラムを格納しており、これらはＣＰＵ３０１により読出される。
【００３３】
なお、モータ３２はＡＤＦ３における原稿の自動給送のためと、ＣＩＳユニット４の移動のための駆動力を提供するために用いられ、それぞれの動作のために独立した駆動力伝達機構を備える構成となっている。また、ＨＰセンサ３０５はＣＩＳユニット４が移動する際にそのホームポジションを検出ためのセンサである。通信Ｉ／Ｆ３０６はＣＩＳユニット４による原稿の画像読取により生成された画像データを外部（例えば、ＰＣなどのホスト装置）に出力したり、外部からの指示を入力するインタフェースとして用いられる。
【００３４】
画像処理部３１２はＣＩＳユニット４により生成された画像データに対してシェーディング補正などの画像処理を実行するＣＰＵ３０１とは独立して行うための専用のプロセッサである。
【００３５】
次に、以上のような構成の画像読取装置においてＡＤＦの開閉状態に関連して実行される画像読取処理の実施例について説明する。
【００３６】
図５は裏写り除去処理を示すフローチャートである。
【００３７】
まず、ステップＳ１０１では開閉センサ１８によりＡＤＦ３の開閉状態をチェックし、ＡＤＦ３が開いている状態（開放角度２５度以上）であることが検知されると、処理はステップＳ１０２に進む。一方、ＡＤＦ３がまだ閉じている状態であると判断されると、ＡＤＦ３が開いている状態となるまで処理を待ち合わせる。ステップＳ１０２では、ＣＩＳユニット４を画先３０ｍｍ位置へ移動する。
【００３８】
次に、ステップＳ１０３ではユーザによりＡＤＦ３が閉められ開放角度が２５度以下になったかどうかを角度検知センサ１８ｂ、１８ｃからの出力に基づいて調べる。ここで、その開放角度が２５度以下になったことが確認されると、処理はステップＳ１０４に進み、ＣＩＳユニット４を用いて原稿下地濃度（開放時）を検知する。ステップＳ１０４の濃度検知方法については、図６を用いて後述する。
【００３９】
このときはＡＤＦ３が開放された状態であるため、ＣＩＳユニット４の光源から照射され受光部で受光する光は、原稿によって反射された反射光の成分だけとなる。
【００４０】
さらに、ステップＳ１０５では、ユーザによってＡＤＦ３が閉められていき、開放角度が５度以下になったかどうかを角度検知センサ１８ｂ、１８ｃからの出力に基づいて調べる。ここで、その開放角度が５度以下になったことが確認されると、処理はステップＳ１０６に進み、ＣＩＳユニット４を用いて、原稿下地濃度（閉時）を検知する。ステップＳ１０６の濃度検知方法については、図６を用いて後述する。
【００４１】
このときはＡＤＦ３が閉じた状態であるため、ＣＩＳユニット４の光源から照射され受光部で受光する光は、原稿を透過し白色圧板５０で反射されて原稿を再び透過し、受光部に到達する透過光の成分と、原稿で反射された反射光の成分とからなる。
【００４２】
上述の説明から、ステップＳ１０４とステップＳ１０６において実行された２つの原稿下地濃度検知により検知した２つの濃度の差（開閉濃度差）は、原稿を透過し白色圧板５０で反射されて原稿を再び透過し、受光部に到達する透過光の成分を表わす。さて、透過光の強度は、原稿の厚さと相関関係がある。一般に、原稿の厚さが薄いと透過光成分は大きくなり、厚いと小さくなる。従って、開閉濃度差かから原稿の厚さを推定することが可能になる。
【００４３】
ステップＳ１０７では、ステップＳ１０４とステップＳ１０６において実行された２つの原稿下地濃度検知により検知した２つの濃度の差（開閉濃度差）から原稿の厚さを、以下のような計算式を用いて算出する。その計算式とは、
厚さ（Ｔ）＝｛下地濃度（閉時）−下地濃度（開時）｝×係数ａ＋係数ｂ……（１）
である。式（１）は原稿の厚さ（Ｔ）を２つの濃度の差（開閉濃度差）の一次関数で近似するものである。
【００４４】
図６はステップＳ１０４とＳ１０６でそれぞれ実行される原稿下地濃度検知処理を示すフローチャートである。
【００４５】
ＣＰＵ３０１は、下地濃度検知処理が開始されると、ステップＳ２０１ではＣＩＳユニット４を駆動して画像を主走査方向に１ライン分読み取る。ステップＳ２０２ではこのとき読取った画像で最も高い輝度値を抽出し、それを下地濃度とする。
【００４６】
図７は濃度差と原稿の厚さの関係と輝度変換テーブルを示す図である。
【００４７】
図７において、（ａ）は開閉濃度差と原稿の厚さの関係を示す図である。図７（ａ）の実線で示すように、原稿の厚さは開閉濃度差の一次関数で表わされている。図７（ａ）によれば、原稿が薄いと開閉濃度差が大きく、原稿が厚いと開閉濃度差が小さいという関係がある。
【００４８】
図５に戻って説明を続けると、ステップＳ１０８では、ステップＳ１０７において求められた原稿の厚さに基づいて、図７（ｂ）に示す入力輝度値と出力輝度値との関係を示す輝度変換テーブルを補正する。
【００４９】
原稿の裏写りは透過光成分が寄与する。従って、ＣＩＳユニット４で受光する受光光から透過光成分の寄与を少なくするならば、裏写りを除去することができる。上述のように透過光成分の寄与は原稿の厚さが薄いほど大きい。また、受光光量が大きいほど透過光成分の寄与も大きくなる。
【００５０】
図７（ｂ）において、点線は補正前の入力輝度値と出力輝度値との関係を示しており、入力輝度値と出力輝度値は同じ値をもつことが示唆されている。これに対して、実線は補正後の入力輝度値と出力輝度値との関係を示している。入力輝度値と出力輝度値との関係は補正前も補正後も一次関数で表わされる。補正前後でこの関係を比較すると、両者の傾きは同じであるが、補正後は一定値が加算されるように、入力輝度値と出力輝度値との関係が上方向にシフトされている。
【００５１】
このように入力輝度値に対して出力輝度値を高く出力すると、入力輝度値が最大値に達していない場合であっても出力輝度値を最大として出力にする。このように入力輝度値に対して出力輝度値を高く変換することで、表面の読取画像に対して輝度値が高く読み取られる裏写り画像の入力輝度値を高く変換して出力するため裏写り画像が背景色と同じかそれに近い輝度値に変換され、裏写りを抑制することができる。これにより、元々の表面の読取画像を除去することなく、裏写り画像を除去することができる。このため、原稿の厚さが薄い場合には図７（ｂ）に示すような補正を行うことで裏写りを除去することができる。一方、原稿の厚さが厚い場合には、元々透過光成分の寄与が少ないため裏写りは少なく、入出力輝度変換テーブルのシフト量（補正量）は少ないか、なくても良い。
【００５２】
次に、ステップＳ１０９では、ユーザにより画像読取装置１のスタートキーが押下されるのを待ち合わせる。ここで、そのスタートキーの押下が検知されると処理はステップＳ１１０に進む。ステップＳ１１０では、ＣＩＳユニット４を移動させながら、原稿の画像を光学的にスキャンする。このとき、補正された輝度変換テーブルを用いて画像補正（輝度変換）を行う。
【００５３】
従って以上説明した実施例によれば、ＡＤＦが開状態であるか閉状態であるかに応じて検知された原稿の下地濃度差から原稿の厚さ（透過度）を算出し、その厚さに基づいて裏写り除去処理を行う。これにより、原稿の裏写りを確実に除去することができる。
【００５４】
また、裏写りの除去は、輝度変換テーブルの補正により行うのではなく、算出された原稿の厚さに基づいて、ＣＩＳユニット４の光源から照射される光量を調整することによって行なっても良い。つまり、光源からの照射光量を小さくするなら、受光部での受光光量も少なくなり、その結果、透過光成分の寄与も小さくなるので、裏写りを防止することができるのである。
【００５５】
なお、上述の実施例に加えて、同じＡＤＦの開閉時の濃度差から、原稿台ガラス６に載置された原稿の端部と白色圧板５０との隙間に発生する影を除去することも可能である。
【００５６】
図８は影除去処理を示すフローチャートである。なお、図８において、既に図５を参照して説明したのと同じ処理ステップには同じステップ参照番号を付し、その説明は省略する。ここで、図８に特有の処理についてのみ説明する。
【００５７】
図８によれば、ステップＳ１０１〜Ｓ１０７の処理後、ステップＳ１０９でユーザが画像読取装置１のスタートキーの押下を待ち合わせる。ここで、そのスタートキーの押下が検知されると処理はステップＳ１１１に進み、ＣＩＳユニット４を移動させながら、原稿の画像を光学的にスキャンする。
【００５８】
次に、ステップＳ１１２では、ステップＳ１０７において算出されたた原稿の厚さが所定値以上であるかどうかを調べる。ここで、その厚さが所定値以上である場合、端部に影が発生しにくいため、処理はそのまま終了する。これに対して、その厚さが所定値未満である場合、原稿は透過性があり、端部に影が発生しやすいと判断し、処理はステップＳ１１３に進み、画像補正を実行する。この画像補正では、原稿の端部からＬｍｍの範囲内に相当する部分の画像を読取って得られた画像データの輝度値を厚さ・補正値テーブル（不図示）を参照しながら、前記算出した厚さに応じて大きく（明るく）する。これにより影が発生する部分の画像から得られる画像データの輝度値が大きく（明るく）なり、その結果、読取画像から影は除去される。
【００５９】
ここでいう端部とは、原稿を突き当て部材８、９に突き当てた際に、突き当て部材８、９に接する原稿の２辺（例えば、上辺と左辺）のことをいう。
【００６０】
上述した例では、不図示の厚さ・補正値テーブルを参照して画像補正を行ったが、算出された原稿の厚さに応じて、原稿の端部からＬｍｍの範囲内に相当する部分の画像を背景濃度等の所定の輝度値となるように補正して、読取画像から影を除去しても良い。
【００６１】
従って、以上のような処理によりＡＤＦの開状態と閉状態で得られた原稿の下地濃度の差から原稿の厚さ（透過度）を推定し、さらに原稿台ガラスに載置した原稿の端部と白色圧板の隙間に発生する影を推定した原稿の厚さに基づいて除去することができる。
【００６２】
また、以上の実施例では、ＡＤＦが開状態と閉状態とでの原稿画像を読取るＣＩＳユニット４によって受光する輝度差によって原稿の厚さ（透過度）を判定したが、本発明はこれにより限定されるものではない。画像を読取るセンサに関わらず、光源と反射光を受光する受光部を設けた構成であれば、同様の制御によって、原稿の厚さ（透過度）を判定することが可能となる。
【００６３】
さらに、上述した実施例では、単機能の画像読取装置（スキャナ装置）を例として説明したが本発明はこれによって限定されるものではない。本発明は、例えば、画像読取装置（スキャナ装置）と画像形成装置（ＬＢＰ）とＡＤＦ装置が一体化した複写機システムにも適用できるし、さらに複写機システムにファクシミリ機能を加えた複合システムとしても良い。そして、これらシステムの画像形成部には電子写真方式に従うプリンタエンジンのみならず、インクジェット記録方式を採用したプリンタエンジンを備えても良い。
【符号の説明】
【００６４】
１  画像読取装置、２  画像読取部、３  原稿給送部（ＡＤＦ）、
４  イメージセンサユニット（ＣＩＳユニット）、５  読取ガラス、６  原稿台ガラス、
１８  開閉センサ、１８ｂ  角度検知センサ、１８ｃ  角度検知センサ、５０  白色圧板
【図１】
2018042037.tif 000003
【図２】
2018042037.tif 000004
【図３】
2018042037.tif 000005
【図４】
2018042037.tif 000006
【図５】
2018042037.tif 000007
【図６】
2018042037.tif 000008
【図７】
2018042037.tif 000009
【図８】
2018042037.tif 000010